(57)【要約】      （修正有）【課題】インモールド成形ラベルが平らな表面となるようにすることを目的とする。【解決手段】プラスチック缶１０は、前記プラスチック缶１０及びプラスチック底壁２０の底部に一体化して下向きに突出したリング状囲い状態のプラスチック底枠３０を有し、プラスチック缶１０の外側に結合したインモールド成形ラベル５０は、その底側縁５１が前記プラスチック底枠３０の箇所まで延在している。成形時に樹脂は、インモールド成形ラベル５０の底側縁５１へ平らに流れていくようになり、このため、インモールド成形ラベル５０の底側縁５１が強く押されることがなく、よって、シワが発生せず、ペイント缶の完成品のインモールド成形ラベル５０は平らな表面となる。【選択図】図２
0003144398.tif 000002
【実用新案登録請求の範囲】
【請求項１】
プラスチック缶（１０）と、この頂部に嵌めるカバー（４０）とを有し、
前記プラスチック缶（１０）は、リング状であり、内部に空間（１１）を有し、頂部に外向きに突出したリング状フランジ部（１２）と、底部につながって一体化したプラスチック底壁（２０）と、前記プラスチック缶（１０）及び前記プラスチック底壁（２０）の底部に一体化して下向きに突出したリング状囲い状態のプラスチック底枠（３０）と、インモールド成形により一体化して前記プラスチック缶（１０）の外側に結合したインモールド成形ラベル（５０）とを有し、
前記インモールド成形ラベル（５０）は、その底側縁（５１）が前記プラスチック底枠（３０）の箇所まで延在していることを特徴とするインモールド成形ラベル付きのペイント缶。
【請求項２】
前記インモールド成形ラベル（５０）は、前記プラスチック缶（１０）の外側の全部地域又は一部地域に設けられていることを特徴とする請求項１に記載のインモールド成形ラベル付きのペイント缶。
【請求項３】
前記インモールド成形ラベル（５０）の底側縁（５１）は、前記プラスチック底枠（３０）の底端（３０ａ）より所定の隙間寸法の高さの位置まで延在していることを特徴とする請求項１に記載のインモールド成形ラベル付きのペイント缶。
【請求項４】
前記インモールド成形ラベル（５０）の底側縁（５１）は、前記プラスチック底枠（３０）の底端（３０ａ）まで延在していることを特徴とする請求項１に記載のインモールド成形ラベル付きのペイント缶。
【考案の詳細な説明】
【技術分野】
【０００１】
本考案はインモールド成形ラベル付きのペイント缶に関する。
【背景技術】
【０００２】
従来のペイント缶は通常金属製である。市販のペイント缶では、エマルジョンペイント、メーソンリーペイントを入れるためのペイント缶は、プラスチック製が多い。
【０００３】
上述したプラスチック製ペイント缶は、外観による広告効果を達成させるために、通常、ペイント缶の外側はラベルで覆われている。
【考案の開示】
【考案が解決しようとする課題】
【０００４】
しかし、そのようなやり方だと、ペイント缶の外の仕様面積が大きくなり、ラベルを覆うための作業効率、正確率、安定性が更に難しくなり、求めるところの品質基準を達成するのが容易でない。
【０００５】
それを鑑みて、業界でペイント缶を射出成形するための金型内で、ラベルとプラスチックを一体成形の構造形態が開発された。しかし、その従来の構造形態は、実際の応用経験の中で、プラスチック構造のところに樹脂を注入しているとき、ラベルの縁がよく押され、シワが発生して、ペイント缶の完成品のラベルは、平らな表面にならず、不良率が高すぎるという現象が分かり、それが業界の望むところの完成品状態ではないのである。
【０００６】
そこで、従来のインモールド成形ラベル付きのペイント缶の構造に問題点があることを知ったうえ、より理想で実用性があるオリジナルな構造を開発するのは、関連業者が努力して、開発、突破する目標と方向である。
【０００７】
本考案は、上記の問題点を解決したインモールド成形ラベル付きのペイント缶を提供することを目的とする。
【課題を解決するための手段】
【０００８】
本考案は、プラスチック缶（１０）と、この頂部に嵌めるカバー（４０）とを有し、
前記プラスチック缶（１０）は、リング状であり、内部に空間（１１）を有し、頂部に外向きに突出したリング状フランジ部（１２）と、底部につながって一体化したプラスチック底壁（２０）と、前記プラスチック缶（１０）及び前記プラスチック底壁（２０）の底部に一体化して下向きに突出したリング状囲い状態のプラスチック底枠（３０）と、インモールド成形により一体化して前記プラスチック缶（１０）の外側に結合したインモールド成形ラベル（５０）とを有し、
前記インモールド成形ラベル（５０）は、その底側縁（５１）が前記プラスチック底枠（３０）の箇所まで延在していることを特徴とする。
【考案の効果】
【０００９】
成形時に樹脂は、インモールド成形ラベル５０の底側縁５１へ平らに流れていくようになり、このため、インモールド成形ラベル５０の底側縁５１が強く押されることがなく、よって、シワが発生せず、ペイント缶の完成品のインモールド成形ラベル５０は平らな表面となる。
【考案を実施するための最良の形態】
【００１０】
以下本考案の各実施例について説明する。
【実施例１】
【００１１】
図１図は本考案の実施例１になるペイント缶の斜視図、図２はペイント缶の一部構造の断面図、図３はプラスチック缶の成形する際にインモールド成形ラベルの底側縁が平らになることを説明するための拡大図である。
【００１２】
ペイント缶Ａは、プラスチック缶１０と、この頂部に嵌めるカバー４０とを有する。
【００１３】
プラスチック缶１０は、リング状であり、内部に空間１１を有し、頂部に外向きに突出したリング状フランジ部１２と、底部につながって一体化したプラスチック底壁２０と、プラスチック缶１０及びプラスチック底壁２０の底部に一体化して下向きに突出したリング状囲い状態のプラスチック底枠３０とを有し、プラスチック底枠３０及びプラスチック缶１０との間はスムーズにつながっている。
【００１４】
また、インモールド成形により一体化し、プラスチック缶１０の外側に結合したインモールド成形ラベル５０が設けてある。
【００１５】
インモールド成形ラベル５０は、その底側縁５１がプラスチック底枠３０の箇所まで延在している。また、インモールド成形ラベル５０は、プラスチック缶１０の外側の全部地域又は一部地域に設けてある。
【００１６】
図２及び図３に示すように、インモールド成形ラベル５０の底側縁５１は、プラスチック底枠３０の底端３０ａより隙間寸法Ｈの高さの位置まで延在している。
【００１７】
次に、プラスチック缶１０の樹脂成形について説明する。
【００１８】
インモールド成形ラベル５０を、その底側縁５１が、プラスチック底枠３０が成形される部分に位置するように、成形金型内の所定の位置にセットする。成形金型内への樹脂注入は、プラスチック底壁２０が成形される箇所に行う。
【００１９】
樹脂は矢印Ｗ１で示すようにプラスチック底壁２０のところからプラスチック缶１０及びプラスチック底枠３０のところへ流れ、ここで、流れが二つに分かれる。一部分は矢印Ｗ２で示すように上方に、プラスチック缶１０の位置へ流れる。残りは、矢印Ｗ３で示すように下方に、プラスチック底枠３０の位置へ流れる。
【００２０】
ここで、インモールド成形ラベル５０の底側縁５１が前記プラスチック底枠３０のところまで延在しているので、矢印Ｗ３で示すようにプラスチック底枠３０へ流れていく樹脂は、そのまま前記インモールド成形ラベル５０の底側縁５１へ平らに流れていくようになる。このため、インモールド成形ラベル５０の底側縁５１が強く押されることがなく、よって、シワが発生せず、ペイント缶の完成品のインモールド成形ラベル５０は平らな表面となる。
【実施例２】
【００２１】
図４図は本考案の実施例２になるペイント缶の一部を拡大して示す図である。インモールド成形ラベル５０の底側縁５１は、プラスチック底枠３０の底端３０ａまで延在している。
［効果の説明］
インモールド成形ラベルの底側縁が前記プラスチック底枠のところまで延在しているオリジナル設計を生かして、従来の技術より、ペイント缶のインモールド成形ラベルはより平らな表面が達成され、品質の実用性、進歩性が向上される。
【００２２】
上述の実施例は本考案を具体的に説明したものであり、文中では特定の専門用語を用いて説明しているが、本考案の範囲を限定するものではなく、この技術分野を熟知した人員は本考案の精神及び原則を逸脱しない限り、本考案に変更または改良を加えることができる。しかし、それらの変更または改良は全て実用新案登録請求の範囲の範疇に含まれるものとする。
【図面の簡単な説明】
【００２３】
【図１】本考案の実施例１になるペイント缶の斜視図である。
【図２】図１のペイント缶の一部構造の断面図である。
【図３】プラスチック缶の成形する際にインモールド成形ラベルの底側縁が平らになることを説明するための図である。
【図４】本考案の実施例２になるペイント缶の一部の拡大図である。
【符号の説明】
【００２４】
Ａ  ペイント缶
１０  プラスチック缶
１１  空間
１２  リング状フランジ部
２０  プラスチック底壁
３０  プラスチック底枠
３０ａ  底端
４０  カバー
５０  インモールド成形ラベル
５１  底側縁
【図１】
0003144398.tif 000003
【図２】
0003144398.tif 000004
【図３】
0003144398.tif 000005
【図４】
0003144398.tif 000006